(57)【特許請求の範囲】
【請求項１】
天板を支持する左右の脚部に、互いに同調して前記天板の高さを調節可能な昇降機構を内蔵し、少なくとも天板の左右両側の上面部と前端部とに前記昇降機構を駆動する操作部を設けてなる昇降テーブルであって、前記脚部は接地部を有する下部脚と前記天板に下設した上部脚とをスライド可能に連結したものであり、前記昇降機構は脚部内に配した調節軸体の上部を前記上部脚の上端部に定位置回動可能に連結するとともに、調節軸体の下部に形成した螺軸部を前記下部脚内に固定したナット部に螺合したものであり、前記調節軸体の上端を天板の上面に臨ませて上面部の操作部となし、前記調節軸体と、前記天板下面に横設した連動シャフトと、前端部の操作部から後方へ延びた操作軸体とをそれぞれ直交配置し、その交差部に歯車伝達手段を設け、天板の左右両側の上面部と前端部とに設けた各操作部は、正転方向の回転に対して前記天板が上昇し、逆転方向の回転に対して前記天板が下降するように前記歯車伝達手段を構成してなることを特徴とする昇降テーブル。
【請求項２】
前記調節軸体の肩部にスラストベアリングを当止した状態で、前記上部脚の上端部内にその上方に前記歯車伝達手段を組み込む空間部を残して水平に固着した受板の軸孔に軸受を介して下方から挿入し、該軸受の上部で調節軸体に前記歯車伝達手段を構成する第１はすば歯車を固定して定位置回動可能に連結してなる請求項1記載の昇降テーブル。
【請求項３】
前記上部脚の上端部を貫通させて固定板を固定し、前記天板の下面で、前記上部脚の上端部に対応する部分には、前記固定板より上部を受け入れる凹部をそれぞれ形成するとともに、両凹部間に前記連動シャフトを収容する凹溝を形成し、前記凹部内に歯車伝達手段を内蔵した上部脚の上端部を受け入れた状態で前記固定板を天板の下面に固定手段で取付けてなる請求項２記載の昇降テーブル。
【発明の詳細な説明】
【０００１】
【発明の属する技術分野】
本発明は、昇降テーブルに係わり、更に詳しくは天板の高さを調節することが可能な昇降テーブルに関するものである。
【０００２】
【従来の技術】
従来、天板の高さを調節することが可能な昇降テーブルは、各種提供されている。この種の昇降テーブルは、天板を支持する左右の脚部に、互いに同調して前記天板の高さを調節可能な昇降機構を内蔵したものである。
【０００３】
例えば、前記脚部は接地部を有する下部脚と前記天板に下設した上部脚とを同心状にスライド可能に連結したものであり、前記昇降機構は脚部内に配した調節軸体の上部を前記上部脚の上端部に定位置回動可能に連結するとともに、調節軸体の下部に形成した螺軸部を前記下部脚内に固定したナット部に螺合したものである。
【０００４】
しかし、前記昇降機構を構成する調節軸体を回転操作するための操作部は、天板の一箇所に固定的に設けられているため、利き腕の違いによってその操作に手間がかかったり、更にレイアウトによっては障害物等で昇降操作が困難になる場合もある。
【０００５】
【発明が解決しようとする課題】
そこで、本発明が前述の状況に鑑み、解決しようとするところは、左右の利き腕の違いやレイアウトによる障害物等で、ある一箇所での操作が困難な場合でも、他の場所の操作位置を選択してスムーズに天板を昇降させることが可能な昇降テーブルを提供する点にある。
【０００６】
【課題を解決するための手段】
本発明は、前述の課題解決のために、天板を支持する左右の脚部に、互いに同調して前記天板の高さを調節可能な昇降機構を内蔵し、少なくとも天板の左右両側の上面部と前端部とに前記昇降機構を駆動する操作部を設けてなる昇降テーブルであって、前記脚部は接地部を有する下部脚と前記天板に下設した上部脚とをスライド可能に連結したものであり、前記昇降機構は脚部内に配した調節軸体の上部を前記上部脚の上端部に定位置回動可能に連結するとともに、調節軸体の下部に形成した螺軸部を前記下部脚内に固定したナット部に螺合したものであり、前記調節軸体の上端を天板の上面に臨ませて上面部の操作部となし、前記調節軸体と、前記天板下面に横設した連動シャフトと、前端部の操作部から後方へ延びた操作軸体とをそれぞれ直交配置し、その交差部に歯車伝達手段を設け、天板の左右両側の上面部と前端部とに設けた各操作部は、正転方向の回転に対して前記天板が上昇し、逆転方向の回転に対して前記天板が下降するように前記歯車伝達手段を構成してなる昇降テーブルを構成した。即ち、前記操作部は、少なくとも天板の左右両側の上面部と前端部の合計四箇所に設けられており、何れの操作部を選択しても天板を昇降調節することが可能である。
【０００７】
ここで、前記調節軸体の肩部にスラストベアリングを当止した状態で、前記上部脚の上端部内にその上方に前記歯車伝達手段を組み込む空間部を残して水平に固着した受板の軸孔に軸受を介して下方から挿入し、該軸受の上部で調節軸体に前記歯車伝達手段を構成する第１はすば歯車を固定して定位置回動可能に連結してなることが好ましい形態である。
【０００８】
更に、前記上部脚の上端部を貫通させて固定板を固定し、前記天板の下面で、前記上部脚の上端部に対応する部分には、前記固定板より上部を受け入れる凹部をそれぞれ形成するとともに、両凹部間に前記連動シャフトを収容する凹溝を形成し、前記凹部内に歯車伝達手段を内蔵した上部脚の上端部を受け入れた状態で前記固定板を天板の下面に固定手段で取付けてなることがより好ましい。
【００１０】
【発明の実施の形態】
次に本発明の実施の形態を添付図面に基づき更に詳細に説明する。図1は本発明に係る昇降テーブルＡを示し、図２〜図８は各部の詳細を示し、図中符号１は天板、２は脚部、３は昇降機構、４は操作部、５は歯車伝達手段をそれぞれ示している。
【００１１】
本発明に係る昇降テーブルＡは、天板１を支持する左右の脚部２，２に、互いに同調して前記天板１の高さを調節可能な昇降機構３，３を内蔵し、少なくとも天板１の左右両側の上面部と前端部とに前記昇降機構３，３を駆動する操作部４，…を設けた基本構造を有している。
【００１２】
前記天板１は、本実施形態では木質系の板体であり、下面６の両側中央部に前記脚部２の上端をそれぞれ固定している。そして、前記脚部２は、中空筒状の下部脚７と前記天板１に下設した中空筒状の上部脚８とを同心状にスライド可能に連結したものであり、前記下部脚７の下端には前後方向に延びた接地部９を有し、前記上部脚８には上端部に固定板１０を有し、該固定板１０を前記天板１の下面６に取付けている。本実施形態では、前記下部脚７の内部に前記上部脚８がスライド可能に嵌挿した構造であり、下部脚７の上端口縁にスライダーを兼ねたキャップ１１を取付けるとともに、前記上部脚８の下端外周にスライダーを兼ねたスペーサー１２を取付け、下部脚７に対して上部脚８がスムーズに上下動するようにしている。
【００１３】
前記昇降機構３は、前記脚部２内に配した調節軸体１３の上部を前記上部脚８の上端部に定位置回動可能に連結するとともに、調節軸体１３の下部に形成した螺軸部１４を前記下部脚７内に固定したナット部１５に螺合したものである。
【００１４】
更に詳しくは、前記調節軸体１３は、図４に示すように、下部の略半分に前記螺軸部１４を形成し、上端部に肩部１６を形成するとともに、上端に操作ハンドル１７を係合する操作部４を形成している。また、前記ナット部１５は、角パイプ状の固定部材１８の上端部内に固定しており、該固定部材１８の下端の固定片１９を前記下部脚７の図示しない底板に下方からネジ止めしている。
【００１５】
そして、図５及び図６に示すように、前記調節軸体１３の肩部１６にスラストベアリング２０を当止した状態で、前記上部脚８の上端部内にその上方に前記歯車伝達手段５を組み込む空間部２１を残して水平に固着した受板２２の軸孔２３に合成樹脂製の軸受２４を介して下方から挿入し、該軸受２４の上部で調節軸体１３に第１はすば歯車２５を固定して定位置回動可能に連結している。前記第１はすば歯車２５の調節軸体１３への固定は、両者を貫通させたピン２６にて行っている。
【００１６】
前記固定板１０は、それに設けた開口２７に前記上部脚８の上端部を貫通させ、前記受板２２よりも若干上方に固定している。つまり、前記固定板１０より上方は前記上部脚８の上端部が突出した状態となっており、その突出部内の空間部２１に前記第１はすば歯車２５を含む歯車伝達手段５を内蔵するのである。
【００１７】
前記左右の脚部２，２に内蔵した昇降機構３，３を連動させるため、前記天板１の下面６に横設した連動シャフト２８は、各脚部２に歯車伝達手段５を介して前記調節軸体１３に連結する中実の組込シャフト２８Ａと、両組込シャフト２８Ａ，Ａを連結する中空の連結シャフト２８Ｂとからなっている。前記組込シャフト２８Ａは、前記第１はすば歯車２５と略同じ高さ位置で前記調節軸体１３と前側で直交するように上部脚８に内外貫通させ、各貫通部には合成樹脂製の軸受２９，３０を配するとともに、その中間に前記第１はすば歯車２５の前側と噛合する第２はすば歯車３１を前記同様にピン３２で固定している。
【００１８】
更に、前端に前端部側の操作部４を有する操作軸体３３を、前記天板１の下面６の両側部に前後方向に配設し、該操作軸体３３の後端部を前記固定板１０の下面に沿った位置で前記組込シャフト２８Ａに下側で直交するように前記上部脚８に前方から挿入し、その後端に第３はすば歯車３４を前記同様にピン３５にて固定し、該第３はすば歯車３４を前記第２はすば歯車３１の下側に噛合させている。尚、前記第３はすば歯車３４を設ける部分に対応する前記受板２２の前部は切欠している。更に、本実施形態では、前記脚部２の断面形状を前後方向に延びた長円形としたので、前記上部脚８の上端部内の前側に規制片３６を固定し、該規制片３６に操作軸体３３を貫通させ、第３はすば歯車３４を規制片３６に当止して回転がスムーズになるようにしている。また、前記操作軸体３３の前端部は天板下面６に固定した軸受体３７にて回転自在に支持している。
【００１９】
また、前記天板１の下面６で、前記上部脚８の上端部に対応する部分には、前記固定板１０より上部を受け入れる凹部３８をそれぞれ形成するとともに、両凹部３８，３８間に前記連動シャフト２８を収容する凹溝３９を形成している。そして、前記凹部３８内に歯車伝達手段５を内蔵した上部脚８の上端部を受け入れた状態で前記固定板１０を天板１の下面６にネジ止め等の適宜な固定手段で取付けている。
【００２０】
ここで、前記天板１は、前記凹溝３９を形成することによって強度が低下するが、その強度低下を補い、更に補強するために、図２、図３、図６及び図８に示すように、断面コ字形の収容部４０Ａの両側に沿って固定部４０Ｂ，４０Ｂを有するスチール製のチャンネル部材４０を、前記凹溝３９内に収容部４０Ａを嵌合するとともに、両固定部４０Ｂ，４０Ｂを天板下面６にネジ止めや接着等の適宜な固定手段にて取付けている。尚、本実施形態では、前記固定部４０Ｂ，４０Ｂも天板下面６に形成した段部４１，４１に位置させて、該下面６から突出しないようにしている。また、前記チャンネル部材４０の収容部４０Ａ内に連動シャフト２８を収容した後、該収容部４０Ａに、上方開放した断面コ字形のスチール製のカバー部材４２を嵌着して、該収容部４０Ａを塞ぎ、下面６に凹凸がないようにしている。尚、前記チャンネル部材４０にカバー部材４２を嵌着する構造は、前記収容部４０Ａの対向面に複数の係合孔４３，…を形成するとともに、該係合孔４３，…に対応する前記カバー部材４２の両外面に突起４４，…を形成し、係合孔４３と突起４４との係合によって外れ止めしている。
【００２１】
ここで、前記チャンネル部材４０と前記カバー部材４２とが一体となった状態では、中空のパイプ状となるので、曲げ強度が非常に高いものとなる。更に、本実施形態では、前記チャンネル部材４０は、板厚が厚いスチール板で形成し、例えば厚さ１．６ｍｍのものを用いている。尚、前記カバー部材４２の板厚は０．８ｍｍである。
【００２２】
このように、前記調節軸体１３と、前記天板１の下面６に横設した連動シャフト２８と、前記操作軸体３３とをそれぞれ直交配置し、その交差部に歯車伝達手段５を設け、そして歯車伝達手段５を第１はすば歯車２５、第２はすば歯車３１、第３はすば歯車３４にて構成している。従って、天板１の左右両側の上面部と前端部とに設けた各操作部４，…は、正転方向の回転に対して前記天板１が上昇し、逆転方向の回転に対して前記天板１が下降するように前記歯車伝達手段５が構成されている。また、前記調節軸体１３の上端を天板１の貫通孔４５から上面に臨ませて上面部の操作部４となし、前記操作軸体３３の前端を軸受体３７から前面に臨ませて前端部の操作部４となしている。尚、天板１の貫通孔４５には、開閉可能な蓋を有するキャップ４６を嵌着し、前記調節軸体１３の操作部４はこのキャップ４６内に位置している。
【００２３】
以上説明した本実施形態では、前記操作部４は、天板１の左右両側の上面部と前端部の合計四箇所に設けられており、何れの操作部４，…を選択しても天板１を昇降調節することが可能である。つまり、左右一方の調節軸体１３の操作部４に前記操作ハンドル１７を連結して回転させると、該調節軸体１３が直接回転するとともに、その回転力が第１はすば歯車２５から第２はすば歯車３１を介して連動シャフト２８を回転させ、更に他方の第２はすば歯車３１から第１はすば歯車２５を介して他方の調節軸体１３が連動して回転するのである。両左右両側の調節軸体１３，１３は同一方向に回転するので、下部脚７に固定したナット部１５に対して上下に変位し、もって天板１の高さを調節することができる。また、左右一方の操作軸体３３の操作部４に前記操作ハンドル１７を連結して回転させると、その回転力が第３はすば歯車３４から第２はすば歯車３１、第１はすば歯車２５を介して調節軸体１３に伝達するとともに、第２はすば歯車３１から連動シャフト２８に回転力が伝達し、前記同様に他方の調節軸体１３が連動して回転するのである。
【００２４】
更に、図示しないが、前記連動シャフト２８の両端部を前記天板１の両側部に臨ませて、該端部を操作部としてなることにより、該操作部４，…は天板１の左右両側の上面部と前端部及び両端部の合計六箇所に設けられることになる。また、前記歯車伝達手段５として、はすば歯車を用いた例を示したが、かさ歯車を用いて構成することもできる。更には、歯車を用いない回転伝達手段によって構成することも可能である。また、前記操作ハンドル１７は、前記操作部４に折り畳み可能に枢着し、操作ハンドル１７を使用しない場合には、天板１の前端部にあっては下面奥方向へ収容し、上面部にあっては上面に設けて収容穴内に格納することも可能である。
【００２５】
本発明に係る昇降テーブルＡを組立てる手順は、先ず前記脚部２の上部脚８に調節軸体１３と組込シャフト２８Ａ及び操作軸体３３とを装着し、それぞれに第１はすば歯車２５、第２はすば歯車３１、第３はすば歯車３４を予め組み付けた後、調節軸体１３の螺軸部１４を固定部材１８に固定したナット部１５に所定深さだけ螺合する。この際、図４に示すように、固定部材１８の側面に形成した開口４７に、螺軸部１４の先端部に形成した孔４８を位置させた状態で該孔４８に抜け止めピン４９を嵌入し若しくはネジを螺合して過度の上昇時のストッパーとなしている。それから、前記上部脚８を下部脚７に嵌挿すると同時に、前記固定部材１８を下部脚７内に挿入してその底面に固定する。それから、前記天板１の凹溝３９内にチャンネル部材４０を取付けた後、各脚部２を天板１の下面６の所定位置に固定すると、固定板１０にチャンネル部材４０の端部が重なるので、強度が高くなる。そして、前記軸受体３７を天板下面６に取付け、両組込シャフト２８Ａ，２８Ａ間に連結シャフト２８Ｂを連結し、最後にカバー部材４２を装着する。
【００２６】
ここで、前記天板１の下面６には、何ら突出物がないので、この下面６に図示しない引出し等を取付けることができる。
【００２７】
また、図９に示した他の実施形態は、天板１の形状が異形天板であり、図例のものは、平面視リング状の等分割形状である。つまり、天板１の前後縁が円弧で両側縁が直線である。この場合、前記脚部２，２は両側縁に沿って設けるが、前記調節軸体１３と、前記連動シャフト２８と、前記操作軸体３３との直交状態は保っている。このような昇降テーブルＡ，…を複数組み合わせると、図９に示すような大きな円形テーブルとなり、個々の天板１の高さを自由に設定することができ、例えば車椅子に座ったままの身体障害者と健常者が同時に着席することが可能である。
【００２８】
【発明の効果】
以上にしてなる請求項１に係る発明の昇降テーブルは、天板を支持する左右の脚部に、互いに同調して前記天板の高さを調節可能な昇降機構を内蔵し、少なくとも天板の左右両側の上面部と前端部とに前記昇降機構を駆動する操作部を設けてなる昇降テーブルであって、前記脚部は接地部を有する下部脚と前記天板に下設した上部脚とをスライド可能に連結したものであり、前記昇降機構は脚部内に配した調節軸体の上部を前記上部脚の上端部に定位置回動可能に連結するとともに、調節軸体の下部に形成した螺軸部を前記下部脚内に固定したナット部に螺合したものであり、前記調節軸体の上端を天板の上面に臨ませて上面部の操作部となし、前記調節軸体と、前記天板下面に横設した連動シャフトと、前端部の操作部から後方へ延びた操作軸体とをそれぞれ直交配置し、その交差部に歯車伝達手段を設け、天板の左右両側の上面部と前端部とに設けた各操作部は、正転方向の回転に対して前記天板が上昇し、逆転方向の回転に対して前記天板が下降するように前記歯車伝達手段を構成してなるので、前記操作部は、少なくとも天板の左右両側の上面部と前端部の合計四箇所に設けられており、何れの操作部を選択しても天板を昇降調節することができ、左右の利き腕の違いやレイアウトによる障害物等で、ある一箇所での操作が困難な場合でも、他の場所の操作位置を選択してスムーズに天板を昇降させることができ、天板の左右両側の上面部と前端部とに設けた各操作部は、正転方向の回転に対して前記天板が上昇し、逆転方向の回転に対して前記天板が下降するようにできるので、天板の昇降操作を間違いなく行うことができる。
【図面の簡単な説明】
【図１】本発明の昇降テーブルの全体斜視図である。
【図２】同じく全体の分解斜視図である。
【図３】同じく要部の分解斜視図である。
【図４】昇降機構の一部を示す分解斜視図である。
【図５】要部の縦断側面図である。
【図６】要部の縦断正面図である。
【図７】要部の縦断平面図である。
【図８】連動シャフトの収容状態を示す部分縦断側面図である。
【図９】他の実施形態を示す使用状態の簡略平面図である。
【符号の説明】
Ａ  昇降テーブル
１  天板                    ２  脚部
３  昇降機構                ４  操作部
５  歯車伝達手段            ６  下面
７  下部脚                  ８  上部脚
９  接地部                  １０  固定板
１１  キャップ              １２  スペーサー
１３  調節軸体              １４  螺軸部
１５  ナット部              １６  肩部
１７  操作ハンドル          １８  固定部材
１９  固定片                ２０  スラストベアリング
２１  空間部                ２２  受板
２２  受板                  ２３  軸孔
２４  軸受                  ２５  第1はすば歯車
２６  ピン                  ２７  開口
２８  連動シャフト          ２８Ａ  組込シャフト
２８Ｂ  連結シャフト        ２９，３０  軸受
３１  第２はすば歯車        ３２  ピン
３３  操作軸体              ３４  第３はすば歯車
３５  ピン                  ３６  規制片
３７  軸受体                ３８  凹部
３９  凹溝                  ４０  チャンネル部材
４０Ａ  収容部              ４０Ｂ  固定部
４１  段部                  ４２  カバー部材
４３  係合孔                ４４  突起
４５  貫通孔                ４６  キャップ
４７  開口                  ４８  孔
【図１】
0003669232.tif 000002
【図２】
0003669232.tif 000003
【図３】
0003669232.tif 000004
【図４】
0003669232.tif 000005
【図５】
0003669232.tif 000006
【図６】
0003669232.tif 000007
【図７】
0003669232.tif 000008
【図８】
0003669232.tif 000009
【図９】
0003669232.tif 000010